(57)【要約】【課題】紐状毛皮を使用して伸縮性及び耐久性に優れた毛皮生地を提供する。【解決手段】紐状毛皮４と、長尺状に形成され、長手方向の一側縁部に沿って紐状毛皮４が挿通される環状部３が複数設けられた伸縮可能な弾性紐２とを有し、紐状毛皮４は、毛の部分を外方に向けて折り返されながら環状部３に挿通されることにより弾性紐２の長手方向に蛇行していき、環状部３又は弾性紐２の一側縁部に縫い合わせられている。【選択図】図１
2004315616.tif 000002
【特許請求の範囲】
【請求項１】
紐状毛皮と、
長尺状に形成され、長手方向の一側縁部に沿って上記紐状毛皮が挿通される環状部が複数設けられた伸縮可能な弾性紐とを有し、
上記紐状毛皮は、毛の部分を外方に向けて折り返されながら上記環状部に挿通されることにより上記弾性紐の長手方向に蛇行していき、上記環状部又は上記弾性紐の一側縁部に縫い合わせられていることを特徴とする毛皮生地。
【請求項２】
上記弾性紐は、上記環状部が相隣接して設けられ、該環状部に上記紐状毛皮が順次又は一定間隔毎に挿通されていることを特徴とする請求項１記載の毛皮生地。
【請求項３】
幅方向に切断可能に形成されていることを特徴とする請求項１記載の毛皮生地。
【請求項４】
上記弾性紐は、第１の区間に一の紐状毛皮が縫い合わせられ、上記第１の区間と所定間隔を隔てた第２の区間に他の紐状毛皮が縫い合わせられ、上記第１の区間と第２の区間の間に紐状毛皮による装飾が取り付けられていることを特徴とする請求項１記載の毛皮生地。
【請求項５】
紐状毛皮と、長尺状に形成され、長手方向の一側縁部に沿って上記紐状毛皮が挿通される環状部が複数設けられた伸縮可能な弾性紐とを有し、上記紐状毛皮は、毛の部分を外方に向けて折り返されながら上記環状部に挿通されることにより上記弾性紐の長手方向に蛇行していき、上記環状部又は上記弾性紐の一側縁部に縫い合わせられている毛皮生地を用いた製品。
【請求項６】
紐状毛皮と、
長尺状に形成された伸縮可能な弾性紐とを有し、
上記紐状毛皮は、毛の部分を外方に向けて折り返されながら上記弾性紐上を長手方向に蛇行していき、上記弾性紐の一側縁部に幅方向の一部が縫い合わせられていることを特徴とする毛皮生地。
【請求項７】
幅方向に切断可能に形成されていることを特徴とする請求項６記載の毛皮生地。
【請求項８】
上記弾性紐は、第１の区間に一の紐状毛皮が縫い合わせられ、上記第１の区間と所定間隔を隔てた第２の区間に他の紐状毛皮が縫い合わせられ、上記第１の区間と第２の区間の間に紐状毛皮による装飾が取り付けられていることを特徴とする請求項６記載の毛皮生地。
【請求項９】
紐状毛皮と、長尺状に形成された伸縮可能な弾性紐とを有し、上記紐状毛皮は、毛の部分を外方に向けて折り返されながら上記弾性紐上を長手方向に蛇行していき、上記弾性紐の一側縁部に幅方向の一部が縫い合わせられている毛皮生地を用いた製品。
【請求項１０】
紐状毛皮を、長尺状に形成された伸縮可能な弾性紐の一側縁に連続して設けられた環状部へ、毛の面を外方に向けて折り返していくことにより上記弾性紐上を長手方向に蛇行させながら挿通させ、
上記環状部に挿通された紐状毛皮と上記環状部又は弾性紐の一側縁部とを縫いつけていく毛皮生地の製造方法。
【発明の詳細な説明】
【０００１】
【発明の属する技術分野】
本発明は、紐状に裁断した毛皮生地、紐状毛皮を用いた製品及び毛皮生地の製造方法に関する。
【０００２】
【従来の技術】
従来より、テープ状に裁断した紐状毛皮を用いた毛皮衣料品が提供されている。この種の毛皮衣料品は、レットアウトにより紐状毛皮を縫い合わされて得られた毛皮生地を縫製することにより形成されるものである。この毛皮生地の素材として用いられている紐状毛皮は、ミンクや狐等の動物の個体より剥ぎ取り、鞣した後、必要に応じて染色等の加工が施された毛皮をテープ状に裁断することにより得られる。
【０００３】
また、近年、例えば、特許文献１及び特許文献２に記載されているように、紐状毛皮の使用量の削減や軽量化による着心地の向上等を目的として、伸縮性を有する又は伸縮しにくい素材の経糸及び緯糸よりなる網目状の下地に、紐状毛皮を経糸及び緯糸の交差部に絡ませて巻き付けてなる毛皮生地を用いた毛皮製品が提供されている。
【０００４】
この種の毛皮生地は、紐状毛皮が巻き付けられる下地として、ポリエステル等の重量が軽く伸縮しにくい素材糸や、ゴム芯に細糸を巻いて被覆した弾性糸が網目状に形成されてなるネットベースが用いられている。そして毛皮生地は、このネットベースの経糸又は緯糸に、ネットベースの網目の幅よりも小さい幅の紐状毛皮が巻き付けられている。
【０００５】
これにより、紐状毛皮はネットベースの網目に順次挿通されてながら巻き付けられていくことにより、ネットベースの経糸及び緯糸の交差部を巻き込むように編み込まれる。
【０００６】
このような毛皮生地を用いることにより、この種の毛皮生地は、紐状毛皮を織ったり編んだりしてなる毛皮生地に比べて面積当たりの毛皮の使用料を削減することができ、また、毛皮製品の軽量化、着心地の向上をはかることができる。
【０００７】
また、この種の毛皮生地は、ネットベースを伸縮自在に形成することにより、毛皮生地全体として伸縮するため、人の身体にフィットする衣類に使用した場合、容易に着脱できる。
【０００８】
【特許文献１】
特開平５−１７１５５１号公報
【特許文献２】
特開２００１−３１１１００号公報
【０００９】
【発明が解決しようとする課題】
しかし、上記毛皮生地は、伸縮しにくい素材糸からなるネットベースの網目部分に巻き付けられて形成された場合、ネットベースを構成する素材糸と紐状毛皮とが擦れることにより、紐状毛皮の皮の部分又は毛の部分の損傷が起こり、製品の寿命が短かくなる。
【００１０】
また、上記毛皮生地は、伸縮自在に形成されたネットベースの経糸又は緯糸に紐状毛皮を巻き付けて形成された場合、人の身体にフィットするセーター等の衣類や、衣類の袖口等のトリミングに使用されると、ネットベースが伸縮する度にネットベースの網目と紐状毛皮とが擦れて毛の部分が抜け落ちてしまう。
【００１１】
さらに、上記毛皮生地は、ネットベースの経糸または緯糸に紐状毛皮を巻き付けているため、毛皮生地の両面に毛の部分が現れ、この毛皮生地を衣料品等の装飾に使用した場合、使用した紐状毛皮の半分強の毛の量しか外方に現れず、また、毛皮生地の衣料品等への取り付け面側に現れる毛の長さが長いと当該衣料品等への縫製が困難となることから、毛の長さを長く取ることができない。
【００１２】
そこで、本発明は、紐状毛皮を使用して伸縮性及び耐久性に優れた毛皮生地、これを用いた製品及び毛皮生地の製造方法を提供することを目的とする。
【００１３】
【課題を解決するための手段】
上述した課題を解決するために、本発明にかかる毛皮生地は、紐状毛皮と、長尺状に形成され、長手方向の一側縁部に沿って上記紐状毛皮が挿通される環状部が複数設けられた伸縮可能な弾性紐とを有し、上記紐状毛皮は、毛の部分を外方に向けて折り返されながら上記環状部に挿通されることにより上記弾性紐の長手方向に蛇行していき、上記環状部又は上記弾性紐の一側縁部に縫い合わせられていることを特徴とする。
【００１４】
また、本発明にかかる毛皮生地を用いた製品は、紐状毛皮と、長尺状に形成され、長手方向の一側縁部に沿って上記紐状毛皮が挿通される環状部が複数設けられた伸縮可能な弾性紐とを有し、上記紐状毛皮は、毛の部分を外方に向けて折り返されながら上記環状部に挿通されることにより上記弾性紐の長手方向に蛇行していき、上記環状部又は上記弾性紐の一側縁部に縫い合わせられている毛皮生地を用いたものである。
【００１５】
また、本発明にかかる毛皮生地の製造方法は、紐状毛皮を、長尺状に形成された伸縮可能な弾性紐の一側縁に連続して設けられた環状部へ、毛の面を外方に向けて折り返していくことにより上記弾性紐上を長手方向に蛇行させながら挿通させ、上記環状部に挿通された紐状毛皮と上記環状部又は弾性紐の一側縁部とを縫いつけていくものである。
【００１６】
また、本発明にかかる毛皮生地は、紐状毛皮と、長尺状に形成された伸縮可能な弾性紐とを有し、上記紐状毛皮は、毛の部分を外方に向けて折り返されながら上記弾性紐上を長手方向に蛇行していき、上記弾性紐の一側縁部に幅方向の一部が縫い合わせられていることを特徴とするものである。
【００１７】
また、本発明にかかる毛皮生地を用いた製品は、紐状毛皮と、長尺状に形成された伸縮可能な弾性紐とを有し、上記紐状毛皮は、毛の部分を外方に向けて折り返されながら上記弾性紐上を長手方向に蛇行していき、上記弾性紐の一側縁部に幅方向の一部が縫い合わせられている毛皮生地を用いたものである。
【００１８】
【発明の実施の形態】
以下、本発明が適用された毛皮生地、この毛皮生地を用いた製品及びこの毛皮生地の製造方法について、図面を参照しながら詳細に説明する。この毛皮生地１は、図１に示すように、略長尺状に形成されたゴム紐２と、ゴム紐２の長手方向の一側縁部に沿って環状に形成されたループホール３に挿通される紐状の毛皮テープ４とを備える。
【００１９】
この毛皮生地１は、ゴム紐２のループホール３に毛皮テープ４がゴム紐２の長手方向と直交する方向に通されるとともに折り返されていくことにより蛇行しながらゴム紐２に取り付けられ、さらにゴム紐２の主面部２ａを縫代として他の衣料品その他の製品に縫い込まれるものである。これにより、毛皮生地１は、衣服の襟、肩、胸等の曲線が形成される箇所に自在に取り付けられる。また、毛皮生地１は、襟、袖口等、着脱に際し伸縮する箇所に取り付けられた際にも、ゴム紐２が伸縮することにより容易に着脱可能とすると共に毛皮の損傷を抑えることができるものである。
【００２０】
ゴム紐２は、略長尺状に形成され、長手方向の一側縁部に毛皮テープ４が挿通されるループホール３が連続して形成されている。また、ゴム紐２は、衣料品やバッグ、袋物等に縫い込まれるための縫代とされるものであり、縫い込み可能な幅（例えば５〜６ｍｍ程度）に形成されている。
【００２１】
このゴム紐２の長手方向の一側縁部に沿って環状に形成されたループホール３は、伸縮性を有する紐が長手方向に沿って両端部がゴム紐２の一側面部と連続されると共に略円弧状に形成されることにより、毛皮テープ４が挿通可能な孔が形成されている。ループホール３は、伸縮性を備えることにより、ゴム紐２が伸長されるとゴム紐２と共に伸長されるため、毛皮生地１の伸縮を阻害することがない。
【００２２】
このループホール３は、毛皮テープ４の幅と略同一の幅を有している。また、ループホール３は、ゴム紐２の一側縁部に連続して形成され、毛皮テープ４が毛の部分を外方に向けながら順次挿通される。
【００２３】
ループホール３に挿通される毛皮テープ４は、動物の個体より剥がれた毛皮を鞣した後、テープ状（例えば、幅４ｍｍ程度）に裁断されることにより得られるものであり、略長尺状に形成されると共に、長手方向に繋ぎ合わせることにより任意の長さに形成されている。この毛皮テープ４は、一面側に毛の部分が、他面側に皮の部分が形成されている。
【００２４】
この毛皮テープ４は、ゴム紐２の長手方向に沿って連続して形成されているループホール３に順次挿通されている。ここで、ループホール３がゴム紐２の長手方向と直交する方向に開口されているため、毛皮テープ４は、ループホール３に挿通されることにより、ゴム紐２と直交される。また、毛皮テープ４は、Ｕ字状に湾曲され、挿通されたループホール３と隣接するループホール３に挿通されていく。これにより毛皮テープ４は、ゴム紐２の長手方向に沿って蛇行するように挿通されていく。
【００２５】
このとき、毛皮テープ４は、毛の部分を上側にしてループホール３に挿通されると共に、Ｕ字状の折り返し部において毛の部分が外方に臨むように折り返されている。従って、毛皮テープ４は、毛の部分が全てゴム紐２の外側に現れる。これにより、本発明にかかる毛皮生地１は、毛皮テープ４をループホール３に巻き付けた毛皮生地に比べて、外方に現れる毛の量が増え、また衣料品等に縫製される際にも毛の部分が当該衣料品とゴム紐２の間に介在しないため、何ら制約無く毛の長さを出すことができる。
【００２６】
そして、毛皮テープ４は、ループホール３がゴム紐２の一側縁に連続して形成されていることから、相隣接してゴム紐２に挿通される。従って、毛皮テープ４は、毛の部分全体によってゴム紐２及びループホール３を覆い隠している。
【００２７】
さらに、ループホール３に挿通された毛皮テープ４は、図２に示すように、ループホール３に挿通された挿通部がループホール３の基端部に縫いつけられることによりゴム紐２に取り付けられている。かかる毛皮テープ４のループホール３への縫い込みは、ゴム紐２の一側縁に沿って連続されるループホール３基端部及び毛皮テープ４のループホール３への挿通部に沿ってミシン等がかけられることにより行われる。なお、ゴム紐２は、ミシンに押圧されながら縫い込み方向に搬送されていくため、伸長された状態で毛皮テープ４が縫製されていく。従って、ゴム紐２は毛皮テープ４の縫製後においても伸長可能とされている。
【００２８】
毛皮テープ４は、ゴム紐２に取り付けられることにより、毛皮生地１の使用中にゴム紐２が伸縮しても、ループホール３より引き出され、また、捻られることにより皮の部分が外方に臨まされることが防止されている。また、毛皮テープ４は、伸縮性を有するゴム紐２及びループホール３が伸縮された場合にも、ループホール３と摺接されることがないため、毛の部分がループホール３と擦れて抜け落ちたり、皮の部分がループホール３と摺接することにより損傷を受けることがない。
【００２９】
このような毛皮生地１は、ゴム紐２の主面部２ａを縫代として衣料品やバッグ、袋物、アクセサリー等の身飾品等に縫いつけられることにより、毛皮テープ４による装飾が可能となる。例えば、毛皮生地１は、衣料品の装飾用途として、図３に示すように、コート等の上着６の袖口用の縁飾りに用いられる。また、毛皮生地１は、図４に示すように、コート７の襟用の縁飾りや、図５に示すフード８の縁飾りに用いてもよい。また、毛皮生地１は、図６に示すように、帽子９の縁飾りに用いてもよい。さらに、毛皮生地１は、衣料品の他にも図７に示すように、バッグ１０やその他の袋物の飾りに用いてもよい。その他、毛皮生地１は、下着、靴下、手袋、アクセサリー類、寝具、縫いぐるみ等、伸縮性を有するあらゆる物品の装飾に用いてもよい。
【００３０】
毛皮生地１は、衣料品の肩口や袖口等に縫い込まれることにより、肩口や袖口等の略曲線状に形成され伸縮性が求められる箇所に取り付けられることができる。
【００３１】
また、ユーザによって衣料品の着脱が行われることにより、肩口や袖口等の取付箇所が伸縮された場合にも、伸縮自在に形成されているゴム紐２及びループホール３が伸長されるため、毛皮生地１は、衣料品等の着脱に応じて伸縮され、容易に衣料品の着脱を行うことができる。また、衣料品とともに毛皮生地１が伸縮されることから、毛皮生地１は、取り付け箇所の型くずれを防止することができる。
【００３２】
さらに、毛皮生地１は、毛皮テープ４がループホール３に縫合されているため、伸縮される際、ゴム紐２及びループホール３と毛皮テープ４とが摺接されることがない。従って、毛皮生地１は、毛皮テープ４の毛の部分がループホール３と擦れて抜け落ちたり、皮の部分がループホール３と摺接することにより損傷を受けることがなく、製品の耐久性に優れた毛皮製品を提供することができる。
【００３３】
また、毛皮生地１は、上述した衣料品やバッグ等に用いられる際に、任意の長さに切断可能とされている。即ち、毛皮生地１は、ゴム紐２及び毛皮テープ４とも刃物等により切断可能とされている。従って、毛皮生地１は必要な長さに切断することで毛皮テープの有効利用を図ることができる。
【００３４】
また、毛皮生地１は、図８に示すように、ゴム紐２の長手方向に亘って複数の毛皮テープ４を断続的に取り付け、且つゴム紐２の長手方向に相隣接する毛皮テープ４の一端部と他の毛皮テープ４の一端部との間に、紐状毛皮を用いた装飾品１１を取り付けるようにしてもよい。この装飾品１１は、例えば、所定の長さに切断された毛皮テープ４を公知の技術によって花形に形成したものが用いられる。そして、装飾品１１は、ゴム紐２に取り付けられた第１の毛皮テープ４ａの一端部と、該第１の毛皮テープ４ａとゴム紐２の長手方向に向かって一定間隔を隔てて取り付けられた第２の毛皮テープ４ｂとの間に縫いつけられる。このような毛皮生地１は、第１及び第２の毛皮生地４ａ，４ｂと毛並みの異なる毛皮装飾を介在させることができデザインの自由度を高めることができる。
【００３５】
以上、本発明が適用された毛皮生地及びこれを用いた毛皮製品について説明したが、本発明は上述したものに限定されるものではなく、例えば、ループホールを一定間隔毎に設けるようにしても同様の効果を得ることができる。
【００３６】
また、毛皮テープ４は、ゴム紐２に直接縫いつけるようにしてもよい。この場合、毛皮テープ４は、図９に示すように、幅方向の一部のみ縫いつけられる。これは、毛皮テープ４は幅方向への伸縮性を有していないため、全幅に亘ってゴム紐２に縫いつけると、ゴム紐が長手方向に伸長することができなくなるためである。
【００３７】
また、例えばループホールは、伸縮性を有さない素材によって形成されてもよい。この場合、ループホール３は、毛皮テープ４が挿通される孔を毛皮テープ４の断面積よりもやや大きく形成される。そして、ゴム紐２が伸長されると、ループホール３は、ゴム紐２と接続された一対の基端部が互いに離間する方向に引っ張られる。ループホール３は、毛皮テープ４が挿通される孔に余裕がある分だけゴム紐２の長手方向に広がる。
【００３８】
【発明の効果】
以上のように本発明が適用された毛皮生地及びこれを用いた毛皮製品によれば、紐状毛皮は、弾性紐に取り付けられることにより、毛皮生地の使用中に弾性紐が伸縮しても、弾性紐との交差部より引き出され、また、捻られることにより皮の部分が外方に臨まされることが防止されている。また、紐状毛皮は、伸縮性を有する弾性紐が伸縮された場合にも、弾性紐とも交差部と摺接されることがないため、毛の部分がこの交差部と擦れて抜け落ちたり、皮の部分が交差部と摺接することにより損傷を受けることがない。
【図面の簡単な説明】
【図１】本発明が適用された毛皮生地を示す斜視図である。
【図２】本発明が適用された毛皮生地の構成を示す平面図である。
【図３】本発明が適用された毛皮生地を上着の袖口用の縁飾りに使用した例を示す斜視図である。
【図４】本発明が適用された毛皮生地をコートの襟用の縁飾りに使用した例を示す斜視図である。
【図５】本発明が適用された毛皮生地をフードの縁飾りに使用した例を示す斜視図である。
【図６】本発明が適用された毛皮生地を帽子の縁飾りに使用した例を示す斜視図である。
【図７】本発明が適用された毛皮生地をバッグの装飾に使用した例を示す斜視図である。
【図８】本発明が適用された毛皮生地の他の例を示す斜視図である。
【図９】本発明が適用された毛皮生地の他の例を示す斜視図である。
【符号の説明】
１  毛皮生地、２  ゴム紐、３  ループホール、４  毛皮テープ、６  上着、７コート、８  フード、９  帽子、１０  バッグ
【図１】
2004315616.tif 000003
【図２】
2004315616.tif 000004
【図３】
2004315616.tif 000005
【図４】
2004315616.tif 000006
【図５】
2004315616.tif 000007
【図６】
2004315616.tif 000008
【図７】
2004315616.tif 000009
【図８】
2004315616.tif 000010
【図９】
2004315616.tif 000011